(57)【要約】【課題】  切花等の水揚げで、深水では花の近くまで水につけることが要求され実質上葉の部分までぬれてしまうので困難があった。  水圧をかける方式では茎と管の接続部分で機密性を保つ必要があり、その機密を保つ事が難しかった。また装置としての水タンク・分配用配管・開閉用の弁等が必要であった。【解決手段】  以上の問題を解決するために、切花の切り口部分に水を入れた容器を用意し、容器の口の部分に植物の保持機構を設け、水を入れて、植物を保持機構を介して容器に挿し、全体を上下逆様にして所要時間保持する事で植物がもつ再生機能をより確実に、早く発揮できる。前記用の道具としての部材を提供する。切花等の流通部材としても有用となる。これらの事を総合した利用で花の装飾や華道の世界の新しい分野を切り開く。【選択図】図１
2009039092.tif 000002
【特許請求の範囲】
【請求項１】
切花等の養生において、容器（１）を設け口の部分に植物保持機構（２）を設け、容器（１）に水を入れ、容器（１）に植物保持機構を介して容器（１）に植物を挿し、全体を逆様状態にして所要時間保持する事を特徴とする切花等の水揚げ方法。
【請求項２】
切花等の養生具であって、容器（１）を設け口の部分に植物保持機構（２）を設けたもので、容器の形状は円筒形であって、大きさは８Φ程度から２５Φ程度で長さは３０ｍｍ程度から２００ｍｍ程度であって、容器強度は長さ分の水圧負荷においても変形しない強度を持つもの、以上のように構成される水揚げ補助具。
【請求項３】
容器の口の部分の植物保持機構（２）が弾性体（３）であって、切花等を差し込んだ状態で容器の口の面積より弾性体の原断面積が３％〜２５％程度大きめのものであって、容器と挿し込まれる植物の落下を防止するだけのすべり抵抗を具備し、容器の形状に追従変形する、以上のように構成されることを特徴とする請求項２に記載の水揚げ補助具。
【請求項４】
容器の口の部分の植物保持機構（２）の弾性体（３）がゲル状場合にあっては回転をさせながら差し込み装着される手段を持つことを特徴とする請求項３に記載の水揚げ補助具。
【請求項５】
容器の口の部分の植物保持機構（２）が容器本体の口の部分に内側に向けた突起（１ａ）を円周上に設け、植物の茎の部分には弾性体がリング状のも（３ａ）のが取り付けられるもので、挿し込まれる植物を容器に固定することを特徴とする請求項２に記載の水揚げ補助具。
【請求項６】
容器の口の部分の植物保持機構（２）が容器を内側の内側に装着されるもので瓶等の中蓋形状であって、材質は軟質系の樹脂であって、中蓋の平らな部分に切り込みが少なくとも３ヶ所以上ほぼ等分に周囲から中心に向かって設けて，鰭の様になっている形状もの（５）から構成される事を特徴とする請求項２に記載の水揚げ補助具。
【請求項７】
容器の底の部分の所に軟質系の樹脂で椀形に成型される物（４）を取り付けた事を特徴とする請求項２から請求項５のいずれかに記載される水揚げ補助具。
【請求項８】
吸盤の取り付け用突起の径に対応する筒を取り付け筒が容器の代わりをすることを特徴とする請求項２から請求項５のいずれかに記載の水揚げ補助具。
【請求項９】
容器の底の部分の近くに容器を保持するための吊具（６）を設けた事を特徴とする請求項２から請求項５のいずれかに記載される水揚げ補助具。
【請求項１０】
切花等の装飾で容器の設置の角度が水平以下の角度で設置されるものを含む事を特徴とする請求項２から請求項７のいずれかに記載される切花等用の装飾品。
【請求項１１】
容器の口の部分の植物保持機構（２）が弾性体に空気を通す穴（１５）を弾性体の両端を貫通する位置に設け、該穴の面積は０．４平方ｍｍ程度から４平方ｍｍ程度とする事を特徴とする請求項３又は請求項４のいずれかに記載の水揚げ補助具。
【請求項１２】
請求項２から請求項７、及び請求項９に記載の、いずれかの道具を使って切り花等を水平以下に保持しその期間の成長を鈍化させる事を特徴とする切花等の養生方法。
【請求項１３】
切花等の養生において、異径の筒（２０）を設け下の口の部分に植物保持機構（２）を設け、容器（１）に水を入れ、容器（１）に植物保持機構を介して容器（１）に下から上に向かって植物を挿し、筒に水を入れて所要時間保持する事を特徴とする切花等の水揚げ方法。
【請求項１４】
切花等の養生において、異径の筒（２０）を設け、細い方の口の部分に請求項３に記載される保持機構（２）を設け、太い方の口の付近には保持具（６）を取り付ける以上の様に構成される水揚げ補助具。
【請求項１５】
水揚げの水が高濃度酸素を含む水である事を特徴とする請求項１又は請求項１３に記載の水揚げの方法。
【発明の詳細な説明】
【技術分野】
【０００１】  本発明は切花等の養生に関し、水揚げの方法それを可能にする水揚げ補助具および水揚げ補助具を使った装飾に関する。同用語のうち水産系の船舶からの水揚げは関連しない。切花等とは花のない切った観葉植物においても水揚げが可能である事から切花等と表現する。
【背景技術】
【０００２】  切花等の水揚げでは１、水中で茎の部分を切る水切りといわれる方式があった。２、切り口部分を焼いたり（薬品を含む）、煮たりする切り口の改良を主とする方法があった。３、花の近くまで水につける深水と呼ばれる方式があった。４、茎の所を密封し水圧をかけて水を強制的に供給する方式が提案されていた。５、逆さ水と言われる方式で花を逆さにして上から水をかける方式であった。
（用語の定義として水揚げとは切った花を水につけていれば全て水が吸い揚がるわけではあるが、ここでは通常では不足する状態のものを通常の水を吸い上げられる状態にする事を「水揚げ」と定義して説明する。）これらの中で３と４と５は強制的に水を供給する方式なので水揚げの方式として比較検討の範囲とするが、１と２は本来水揚げ下処理というべきものを水揚げと表現されていたので検討の範囲から除外する。
【特許文献１】特開平０９−３１３０３５      水揚げ装置について。
【特許文献２】特開２００１−３５３０５３    生花の装飾。
【特許文献３】特開２０００−３１８７４０    吸盤付容器について。
【特許文献４】特開平０８−２８０５１９      吸盤付容器について。
【特許文献５】特開平０９−２０６１９５      吸盤付容器について。
【非特許文献１】ＨＴＴＰ：／／ＦＵＬＬＦＬＯＲＡ。ＨＰ。ＩＮＦＯＳＥＥＫ。ＣＯ。ＪＰ／Ｆ＿ＭＩＺＵＡＧＥ。ＨＴＭ  切花の逆さ水揚げに関する説明  「２００７年１月２４日」には存在。
【発明の開示】
【発明が解決しようとする課題】
【０００３】  しかしながら、深水では花の近くまで水につけることが要求され実質上，葉の部分までぬれてしまうので困難を伴った。
水圧をかける方式では茎と管の接続部分で機密性を保つ必要があり、その機密を保つ事が難しかった。また装置としての水タンク・分配用配管・開閉用の弁等が必要で装置として複雑さがあった。逆さ水は水をかけても、すぐ切り口から水が落ちてしまうので給水の量が不足する欠点があった。どんどんかけ続ければ同じ効果は期待できるが花も濡れてしまうので短時間にする必要があった。上から水をかけるのでは水圧は期待できない。
【課題を解決するための手段】
【０００４】  以上の問題を解決するために、容器を用意し、容器の口の部分に植物の保持機構を設け、容器に水を入れてから、植物を保持機構を介して容器に挿し、全体を上下逆様（さかさま）にして所要時間保持する事で植物がもつ再生機能をより確実に、早く発揮できる環境を作る。発明思想としては逆さ水を長時間にわたり水を供給し続ける事が出来るように容器に水を入れて逆様にしてもこぼれない機構をつくり対応する。
【発明の効果】
【０００５】  この事により切花等の本来持つ水の吸い上げ機能に加えて、逆様にする事により毛細管作用と重力の合算された事になり、水の吸い上げ機能を発揮しやすい環境を作る事が出来る。水を容器に入れて供給するので、逆さにして長時間にわたり供給し続ける事が出来るので水揚げ効果がより発揮できる。
【発明を実施するための最良の形態】
【０００６】  この発明を図と共に説明する。
図１では水揚げの状態を表現し、容器に植物を挿して容器ごと逆様にして上面に取り付けた図である。構成を説明すると、容器（１）を設け口の部分に植物保持機構（２）を設けたもので、容器の形状は円筒形であって、大きさは８Φ程度から２５Φ程度で長さは３０ｍｍ程度から２００ｍｍ程度であって、容器強度は長さ分の水圧負荷においても変形しない強度を持つものとし、容器の口の部分の植物保持機構（２）が、弾性体（３）であって切花等を差し込んだ状態で容器の口の面積より弾性体の原断面積が３％〜２５％程度大きめのものであって、容器と挿し込まれる植物の落下を防止するだけのすべり抵抗を具備し、容器の形状に追従変形するもので、弾性体に空気を通す穴（１５）を弾性体の両端を貫通する位置に設け、、該穴の面積は０．４平方ｍｍ程度から４平方ｍｍ程度とするものを設け、容器の底の部分の所に軟質系の樹脂で椀形に成型される物（４）を取り付けた。（４）は通常吸盤または吸着盤といわれるものである。作業手順は図２に示すようなものである，逆様に取り付けて所要時間水揚げをさせるまでのイメージを表現した。【０００７】  作業の中では容器に弾性体を差し込むときにはネジ込むように回転させながら押し込むのがゲル状の弾性体を使った場合にはうまく差し込むことが出来る。単に押し込むのでは弾性体の断面が大きいのでブヨブヨ物体につき、はみ出て難しい。ねじる事で弾性体の断面が小さくなって容器の口に追従するようになる。原理としては容器と弾性体の間で摩擦が生じ弾性体が内部の切花等の茎の部分に巻きついて断面が小さくなる現象である。ゲル状の物体を容器に差し込むときの技術といえば技術ではある、従来にそのような技術が存在したかどうかは不明ではある、実際にやってみると単純に平行に押し込む事では困難を極め出来なかったので、ねじる様に押し込む事により成り立つ技術ではある。これをあみだすには膨大な時間とサンプルテストを必要とした。弾性体といってもスポンジ等のものでは押せばへこむ事には変わりは無いがゲル状のものにあってはへこんだ分の体積がどこかに変形して出てくるのでねじる事で縦方向（押し込み方向）変形させて容器の口に入れる事が出来る。技術全般との比較では、容器の口にゴム栓をするときにはネジって入れる操作をする例はある、しかしながら単純に押し込んでも押す力を大きくすれば同じ程度まで栓をすることは出来る、本発明ではブヨブヨの物体に付き力を大きくしても押し込む事が出来ないのでネジリながら入れることが必須条件となるところに新規性と進歩性がある。本発明にあっては水揚げ補助具用の装着する手段とする。【０００８】  容器の大きさについては切花一本に付１つの水揚げ補助具を取り付ける事を想定した発明であるので大凡段落０００６に記載の大きさ程度である。「容器強度は長さ分の水圧負荷においても変形しない強度を持つもの」とは２００ｍｍ程度以下の長さで請求項を立てているので２０００Ｐａ（パスカル）（２００ｍｍＡｑ）程度を表現している。【０００９】  植物の保持機構（２）については容器ごと逆様にして水揚げをする発明であるから容器と植物の間で支持をする支持機構が必要になる。そこで容器に挿すときに植物と弾性体、容器と弾性体の間に摩��を生じさせて保持する事を採用した。２機能を一つの表現として支持機構と表現して説明している。植物の茎に取り付け容器に挿し込むのが適切である。弾性体の材質にはゴムやスポンジのような物も可能ではあるがナジミが良い物ほどきつくしなくても良いのでジェル状の弾性体が良い。スポンジの中には圧縮には対応するが引っ張りに変形が小さい物も有るので両方に対応が出来る物ならば可能である。ジェル状とは蒟蒻とプリンの中間のような状態のものをこの発明ではジェル状として説明している。ジェル状の弾性体では差し込む切花等の茎の径により弾性体の本体の径が大きくなるので大小２種類程度のものを用意すると便利である。【００１０】  実際にやってみるとナジミが良すぎて空気の流入に負荷がかかることがある、これでは機能が半減するので弾性体に細い管又は穴を設けるのが良い。ブヨブヨのものなので茎に添え棒を添えて挿し込んで茎と添え棒の間の隙間を貫通穴とする場合と茎にシート（非粘着性のもの）を数回巻きつけてそのシートの間隙を給気空間と口径の調整を兼ね備えて取り付けとするのが現実的となる。ある程度は挿し込む弾性体と容器の径の間には許容範囲はあるが、挿し込む茎の部分で弾性体の外径を調整する事で穴の状態の確保と外径調整兼用で実施するのが簡便となる。棒と茎を同時に差し込むと弾性体外形が楕円状になるが口の断面積よりも大きくなるように調整する訳ではあるがネジリながら押し入れるとうまく入る。段落０００７に記載の説明と連動する。【００１１】  全体を逆様にして水揚げを行うので逆様にした状態の保持機構が必要になる。通常は容器等に吊具を取り付け壁面や天井面（上面）から吊り下げる方式が一般的であるが、容器の底の部分に吸盤（４）（吸着盤）を取り付けておいて水を入れ植物挿入後上面に貼り付ける方式が有効である。吸盤つき容器は特許で開示されているので細部については省略。本発明にあっては逆様に取り付ける時により簡便な道具として特筆される。一般的な容器そのものを逆さに吊るためのフック等は図６の（ａ）〜（ｄ）に示すように本体にフックを設ける方式とキャップにフックをもける方式が考えられる。キャップをスプリングで作る事も出来る。どれが良いかは作る量と予算により選定される。切花等を売るときの装置でも関係するのでその中から選択されるものである。【００１２】『実施形態の効果』
この発明の方法や水揚げ補助具を使って水揚げをすると植物が持つ水の水揚げ機能に下向き給水による重力の給水機能が加算され、より確実に早く植物の水揚げを行う機能を発揮する。植物の切り口部分では植物の繊維の毛細管の部分に空気が入るが逆様にする事により茎のから空気を吐き出す作用がある、従って逆さで給水する事は有効に機能する。理論的には切花は重力に逆らって水を吸い上げる訳であるから花を下にして吸い上げの足しにすることは理論的に自然の摂理となる。それを切花の水揚げに応用する為の道具を発明し方法の実施を可能にした。道具の簡素化、簡便化は保持機構（２）に供する弾性体の選択により実現できる事になった。この道具の発明により水揚げは当然として他の用途の利用も可能となった、具体的には装飾用・流通用としての幅広い用途に利用が出来る。【００１３】  逆様にして容器の水がこぼれないか？の件に関しては装置として目薬容器や筆ペンを思い浮かべて頂けば納得できるはずである。水は容器の口の所では落ちようとする力と容器の上で空気バネ（負圧）のバランスが保たれる。従って容器の上の方では負圧になるので水漏れは起きない、その負圧に耐えられ容器は変形しない分の容器の強度が要求される。その事を踏まえたうえで効果を説明すると１、容器の中の水が植物に吸収された分の空気量が口の所から小さな粒となって入る訳ではあるがその時、水との接触により水に酸素分を溶出させる効果がある。故により良い水分の供給となる。２、空気の粒が下から上に向かって移動する事で容器内の水は攪拌される因って均一な水が切り口に供給される。（通常の静止水には無い機能が構成される）。３、更に微量では有るが空気の粒が容器中の空気中に出るときに弾ける微量の振動があり植物の活性化に貢献する。これらのメリットがあるので水圧をかける水揚げの思想とは基本思想に違いがある。（負圧とは大気圧を０として説明している）【００１４】  逆様にして絶対に水が漏れないか？は絶対的ではないので、多少の漏れる条件として下記のような事がある。しかしながら全体の機能が否定される事の範囲ではないと考える。
１、振動や運動等の絶対的なエネルギーの授受がある場合には漏れる。２、室温等の大きな変化に伴い容器内の空気が膨張するときに漏れが起きる。【００１５】『他の実施形態１』
植物保持機構として図３（ａ）で示すように容器本体の口の部分に内側に向けた突起（１ａ）を円周上に設け、植物の茎の部分には弾性体がリング状のも（３ａ）のが取り付けられるもので挿し込まれる植物の固定をする。容器そのものを加工して作れば引っ掛かりを作る事により逆様にしたときに落ちる事がなくなる。同じ思想の範囲として図３（ｂ）（ｂ）で示すように容器の口の内側にリングをはめ込む様なものも突起の実施形態としてありうる。【００１６】『実施形態１の効果』
大量に切花等の水揚げを行う場合にはこの方式が有望である。作業が早くできるメリットが特筆される。【００１７】『他の実施形態２』
植物保持機構として図４図５で示すように容器の口の部分の植物保持機構（２）が容器を内側の内側に装着されるもので瓶等の中蓋形状であって、材質は軟質系の樹脂であって、中蓋の平らな部分に切り込みが少なくとも３ヶ所以上周囲から中心に向かって設けて鰭の様になっている形状もの（５）である。
容器と蓋が一体成型されている製品が蘭用に使われているのでその違いについて説明する。蓋の部分の中心に２ｍｍ程度の穴を設けてある物であるが差し込むことの出来る太さがそれ以下で条件の物に限られる、この発明では蓋の部分に切る込みを入れて鰭状になっていて小さい物から大きい物までの茎の太さの多様性に対応している、よって機能・機構としての優位性がある。鰭の先端部分を茎の径よりやや小さくなるように切って使うとなお便利である。切れ目が入っているので真下から３０度程度の範囲の傾きには耐えられる。【００１８】『実施形態２の効果』
より簡便さを追求するとこのようになる。【００１９】『他の実施形態３』
以降は装飾について説明する。切花等の装飾で設置に角度が水平以下の角度で設置されるものを含む装飾品。【００２０】  本発明の器具で切り花等の装飾に上を向けて使えば美しく花等の飾り付けが出来る、その理由として、花器（花瓶）にあっては活ける切花等の倒れようとする力（転倒モーメント）に対応するだけの反転倒モーメント（抵抗モーメント）を確保するために花器の底面積を大きくする必要があった。本発明の吸盤で貼り付けられる発明ではより小さな底面積の花器（花瓶）として利用する事が出来る。一輪挿し等の花瓶では三角フラスコを縦に伸ばしたような形状により転倒を緩和しているがメスシリンダーのような形状で飾る事が出来る。コップやグラスに花を飾る等は必要以上に容器が大きい訳で美的感覚上問題があった。（下が大きい容器で美しいという感覚の人もいるかも知れないが飾るための容器本体を美しくする感覚で花等を飾るその事自体ではより小さいほうが美しい）。容器の形状をより細く、より小さく出来るための具体的な技術である。
特開２０００−３１８７４０や特開平０８−２８０５１９で吸盤付容器についての提案があり吸盤により容器を貼り付ける思想は同様ではあるが形状を細く出来る事に利用する点、容器を小型化する点、花器（花瓶）における形状の発展、についての言及に進歩性があると考える。吸盤付容器では容器内にものを入れる思想からの提案であったが容器の外まで物をはみ出して使うと言う所からの転倒する可能性が高いことを重視した点にも進歩性がある。前に提案されている条件と本発明の条件の大きな違いは容器の「底面積を小さくして使用できるか」「単に安定性が良い」との違いではあるがそこを詳細に検証することで技術の新規性と進歩性を確保するものである。容器の口の所に保持機構をつける必要が上を向けた時には不要となる筈ではあるが吸盤で支える以上安定性は少なくなるので保持機構があって水がすぐこぼれない点において有った方がよりベターである。【００２１】  通常は花等を活ける時は水平な面の上に容器等に入れて飾る事が当たり前の慣習ではあるが、容器を傾斜の面に又は垂直面に対し垂直（水平方向）に向けて切花等を飾る事が出来ることは特筆すべき事である。口の部分で開口が小さくしてあるので可能となる。（原理として表面張力も関連する）。通常は漏れが心配で考え付かない事ではあるがやってみれば解る事である。実際にやってみたが漏れる事は無かった。弾性体の使用により漏れは確実に防ぐ事が出来る。この場合では切り口の所を布等でくるむと水が少なくなった時にも対応できる。水平に取り付ける場合は貫通穴（１５）が下に設置するのが良い。水平方向に出来るとは言え、吸盤との組み合わせである事による場合の制限、切花の強さもあるので長さとしては１５０ｍｍ程度以内であって短い方が良い事は言うまでもない。実施例としては単品で水平方向に花を飾る他に群生状に飾る方式や花文字（文字の形に添って花を並べる）を作る事が出来る。吸盤との組み合わせにおいてはより簡便に作る事が出来る。【００２２】  特開２００１−３５３０５３に水平よりやや上に向けた花の装飾があるので違いを記載すると、容器の中の水は水平以下にするとこぼれると言う基本思想であるが本発明にあっては水平以下でも水はこぼれない、と言う基本思想の違いがある。理由は、下に向けると花が容器から落ちることを解決するのに切花等の支持機構を本発明では採用した、容器からこぼれない機構として容器の口の部分でより軟らかな弾性体（ウレタン系エストラマー・ジェル状シリコン）の採用により実施可能となる。如何に切花等と弾性体をフィットさせるかが分かれ目となる。この原理は大きさも関連するので請求項２に記載程度の大きさと強度（容器本体が弾性体では成り立たない）を前提とした場合に成り立つ。この大きさから更に大きくなると好ましい結果が出ないことが多い。従って大きさや強度にも言及した請求の範囲を設定している。【００２３】  流通の段階においても逆さにして水分を補給しながらの輸送や保管をする事は花の傷みが少ないわけであるからこの道具を使って流通させる事は重要な事になる。仮に横に寝かせて輸送するとしてもこの道具を使えば水漏れは起きないわけであるから切り花の鮮度の劣化は少なくなる。【００２４】  上の面���ら切花等を下に向けて飾る事が出来るのは従来のイメージを一変する事が出来る。切花等を水平方向から下に向けての装飾をしたい、と言う思想も確かにあったが道具としての開発が無かったので出来なかった。この道具を発明した事により可能となった。これは装飾としては画期的な装飾の方式である。本発明の器具を使ってボールに中心から放射状に穴を明けて容器を差し込むとすればフラワーボールを作る事が出来る。図７図８に示すように水車状の外周面に花を飾る事も出来る。図では正面からの一面を表現しているが放射状に全ての角度に構成するとボール状のものが出来る。当然ぐるぐる回すディスプレー製品も出来る。水平にまわす事も出来るが縦方向に回すことも出来る。（あまり早いのは遠心力と振動が出るので出来ない⇒３０秒に１回転程度以下の回転である）。従って花を装飾する場合にあっては取り付けの角度に制限が無くなる。フラワーデザイン・華道としての新しい分野を切り開くものである。華道の名称としては「自在流天地無用の構え」、と言える。【００２５】  本発明は短期的に水揚げをしたり飾ったりする為の道具であるから、長期に栽培をする過程においては植物を逆さにしたり、水平に置いておくと植物本体がもつ重力感知機能が働いて反重力方向（上方向）に向かって伸びようとする。従って植物本体がストレスを受けて成長が遅れる。逆さ、又は水平にする事により成長を遅らせる効果はある。花が開いた状態や開花寸前の状態の保持にはある程度の期間は有効に機能する。植物の茎の部分を倒す（横に曲げる）事によりストレスを与えて開花を遅らせる技術は新しい技術ではなくて花の栽培においては実施されている技術が存在する。実施の例としてはカーネーションの開花の時期を遅らせるときに採用されている。切花にその技術を応用した点で新しい技術といえる。期間は２４時間程度から４８時間程度の範囲内ではある。それ以上は逆にやせ衰えるので不向きとなる。従って保存温度を下げて成長を遅らせる事の次に位置付けられる方法である。【００２６】『他の実施形態４』
下向き給水と水圧をかける思想として図１０に示すような方法が有望である。詳細を説明すると、異径の筒（２０）を設け下の口の部分に植物保持機構（２）を設け、容器（１）に水を入れ、容器（１）に植物保持機構を介して容器（１）に下から上に向かって植物を挿し、筒に水を入れて所要時間保持する事を特徴とする切花等の水揚げ方法。口の部分の保持機構が請求項４に記載される保持機構を使って大型の切花等（百合等）においては有効に機能する。前に述べた水の状態は静止水になるので酸素の溶出・攪拌・微量の振動は起きないものの大量の水分を欲しがる切花には有効である。下向き給水による毛細管に含んだ空気の吐き出しは当然行われる。水圧水プラス下向き給水による水揚げの効果は大きくなる。植物との機密がネックにはなるが、より柔らかな弾性体を使えば可能となる。図１０では弾性体が装着された状態の断面図であるが切花等の重さで接合部が少し垂れ下がっている事も含めて表現している。切花等が重さで抜け落ちない程度の締め付けと保護のための軟らかさのバランス上に成り立つ。異径の筒の形状は上の部分で１００ｍｍ程度以下２５ｍｍ程度以上であって下の部分では１５ｍｍ程度の円形であって筒全体の長さは５０ｍｍ程度以上３００ｍｍ程度以下である。特に寸法にこだわるものではないが切花等の一本に対する通常の寸法である。上の筒の形状は特に円筒形にこだわるものではなくて下の部分が円形であれば良い。
技術思想としては特開平０９−３１３０３５に記載されている水圧をかけて花に給水する思想に、花を下向きにして水圧をかけて給水するとより効果が大きい、という技術思想である。装置の簡素化でも優位性がある。絶対的な部品点数においても優位性はある。【００２７】『実施例１』
図１１に示すように吸盤と筒を組み合わせて筒に容器の状態を作る方式もあるので記載する。容器に吸盤をつけるか、吸盤と筒で容器形状を作るかの違いだけであって構成が違うといえば違うので記載する。技術思想は同じことではある。発明の均等性の範囲である筈ではあるが念のために記載した。市販品を組み合わせて実施をする場合にはこのような方式も簡便である。当然、筒と吸盤との間にパッキンが要るか要らないか１重でよいか、２重が良いか、その厚みは、その硬度・弾力は？等々の事は全体の説明から推測されるもので説明を省略する。【００２８】『実施例２』
水揚げに使う水を高濃度酸素水にすることで切花等に元気を与える思想である、それにより水揚げ能力を高める原理である。高濃度酸素水の効き目に関しては諸説紛々あるところではあるが単純に切花を通常の水と高濃度酸素水に生けてみれば問題は解決する。ある程度の本数（１０本ずつ）を無作為に入れてどの程度元気が出るかを目視で観察すればそれでよい。
【図面の簡単な説明】
【００２８】
【図１】  本発明の断面図である。
【図２】  本発明の作業手順を示す断面図である。
【図３】  本発明の断面図である。
【図４】  本発明の中蓋式を使った断面図である。
【図５】  本発明の中蓋に切込みを入れた斜視図である。
【図６】  本発明の水揚げ補助具を水平方向取り付けの断面図である。
【図７】  本発明の容器にフックを取り付けた正面図である。
【図８】  本発明の容器に花を飾り放射状に取り付けた正面図である。
【図９】  本発明の容器に花を飾り放射状に取り付けた正面図である。
【図１０】  本発明の断面図である。
【図１１】  本発明の実施例を示す断面図である。
【符号の説明】
【００２９】１容器
１ａ容器に突起
２保持機構
３弾性体
４吸盤
５切込み付中蓋
６フック
１０切花等
１１水
１２気泡
１３空気層
１４布
１５貫通穴
２０異径筒
２１筒
２２パッキン
【図１】
2009039092.tif 000003
【図２】
2009039092.tif 000004
【図３】
2009039092.tif 000005
【図４】
2009039092.tif 000006
【図５】
2009039092.tif 000007
【図６】
2009039092.tif 000008
【図７】
2009039092.tif 000009
【図８】
2009039092.tif 000010
【図９】
2009039092.tif 000011
【図１０】
2009039092.tif 000012
【図１１】
2009039092.tif 000013